(57)【要約】【課題】吸収した油や水分が裏抜けすることがなく、廃棄後に悪臭が周囲に漂ってしまうことを防止可能とされた衛生用紙を提供すること【解決手段】吸液可能とされた基材紙１０と、基材紙の片面に積層されており、非透液性と非透臭性とを有するフィルム層２０とを備えており、基材紙１０には、六角形状の単位エンボス２が形成されており、基材紙１０には、臭気を分解又は吸着可能な脱臭剤が含まれている衛生用紙１とする。【選択図】図１
2010173250.tif 000002
【特許請求の範囲】
【請求項１】
吸液可能な基材紙の片面側にフィルム層を有しており、
複数の単位エンボスが形成されており、
これらの単位エンボスの平面形状の総面積が、基材紙の表面積に対して５〜５０％とされており、
これらの単位エンボスの深さが、０．８〜１．７ｍｍとされており、
単位エンボスを形成した状態での厚みが５００〜１８００μｍとされている、ことを特徴とする衛生用紙。
【請求項２】
複数の直線形エンボスが、相互に交わって格子状のパターンの格子エンボスを構成するよう形成されており、単位エンボスは、直線形エンボスに囲まれた格子部に配置されている、請求項１に記載の衛生用紙。
【請求項３】
基材紙には脱臭剤が含まれている、請求項１或いは請求項２に記載の衛生用紙。
【請求項４】
脱臭剤が重曹である、請求項３に記載の衛生用紙。
【請求項５】
基材紙とフィルム層の間に脱臭層を有している、請求項１〜請求項４のいずれか１項に記載の生成用紙。
【請求項６】
単位エンボスの平面形状が多角形状とされている、請求項１〜請求項５のいずれか１項に記載の衛生用紙。
【請求項７】
単位エンボスの平面形状が六角形状である、請求項６に記載の衛生用紙。
【請求項８】
単位エンボスの平面形状が円状である、請求項１〜請求項５のいずれか１項に記載の衛生用紙。
【発明の詳細な説明】
【技術分野】
【０００１】
本発明は、付着した汚れや液体を拭き取るための衛生用紙に関するものであり、より詳細には、水分や油分などの裏抜けのない衛生用紙に関するものである。
【背景技術】
【０００２】
近年、汚れ落ちや節水の点で手洗いよりも優れるという理由から、食器洗い機の普及率が向上している。食器洗い機を用いる場合、内部に食べかすや汚れが蓄積してしまわないように、食器の予洗いを行わなければならない。予洗いの方法としては、水で軽くすすぐのが一般的であったが、水洗いによる手荒れが生じる他、予洗いと食器洗い機とで水を二重に使用することとなり、環境に優しいものではなかった。そのため、水を使用することなく手軽に汚れを除去できるという利点から、使い捨ての衛生用紙がしばしば利用されており、食器洗い機の普及率の向上と共に、食べかすなどの食器の汚れの拭き取り除去に優れた衛生用紙のニーズが高まっている。
【０００３】
食器に付着する汚れの種類としては、食べかすと油汚れが主なものとなっており、これらの汚れを効率良く除去可能とするために、一般的に、衛生用紙には、例えば下記特許文献１に示すようなエンボス加工が施される。このように、衛生用紙にエンボス加工を施すことによって、エンボスの凹部で汚れを掻き取るようにして除去できるようになるため、汚れの除去効率が向上する。また、エンボス加工を施すと、表面積が増加するため、油や水分の吸収効率が向上する。
【先行技術文献】
【特許文献】
【０００４】
【特許文献１】特開２００８−１４２４３４号公報
【特許文献２】特開２００８−２３７８１４号公報
【特許文献３】特開２００５−９５３４４号公報
【特許文献４】特開２００８−８８５８７号公報
【特許文献５】特開平１−１１１０９９号公報
【特許文献６】特開昭６２−１５５９１４号公報
【特許文献７】特開昭６３−９３３５０号公報
【特許文献８】特開平１０−５２６３７号公報
【発明の概要】
【発明が解決しようとする課題】
【０００５】
しかしながら、エンボス加工を施した衛生用紙は、油や水分の吸収効率が良い反面、吸収した油や水分が裏抜けしてしまい、使用者の手が汚れてしまうという問題があった。
また、使用済の衛生用紙をゴミ箱などの廃棄場所で放置すると、衛生用紙に付着した食べかすや油分などが腐敗して悪臭を放ってしまうという問題があった。
【０００６】
そこで、本発明の主たる課題は、吸収した油や水分が裏抜けすることがなく、廃棄後に悪臭が周囲に漂ってしまうことを防止可能とされた衛生用紙を提供することにある。
【課題を解決するための手段】
【０００７】
次に、上記課題を解決するための手段とそれらの作用効果を示す。
〔請求項１に係る発明〕
吸液可能な基材紙の片面側にフィルム層を有しており、
複数の単位エンボスが形成されており、
これらの単位エンボスの平面形状の総面積が、基材紙の表面積に対して５〜５０％とされており、
これらの単位エンボスの深さが、０．８〜１．７ｍｍとされており、
単位エンボスを形成した状態での厚みが５００〜１８００μｍとされている、ことを特徴とする衛生用紙。
【０００８】
〔作用効果〕
本項記載の発明は、基材紙側が拭き取り面とされ、フィルム層側が使用者による保持面とされて、使用されるようになっている。本項記載の発明によれば、使用者による保持面が、フィルム層とされているため、基材紙に吸収された油や水分が、保持面側に裏抜けしてしまうことがなく、使用者の手が汚れてしまうことがない。
【０００９】
また、本項記載の発明では、基材紙の片面側にフィルム層を有しているため、基材紙をフィルム層で包み込むようにして衛生用紙を丸めて廃棄することによって、基材紙に付着した食べかすや油分などが腐敗して生じる臭気が、衛生用紙を透過しないため、悪臭が周囲に漂ってしまうことを防止することができる。
【００１０】
さらに、本項記載の発明では、複数の単位エンボスが設けられているため、汚れの掻き取り性が向上する。
【００１１】
単位エンボスの平面形状の総面積は、基材紙の表面積に対して５〜５０％とされていることが好ましい。基材紙の表面積に対して５％未満の場合、５０％超過の場合には所望する拭き取り性が達成することが困難となる。
【００１２】
単位エンボス２の深さは、０．８〜１．７ｍｍが好適である。深さが０．８ｍｍ未満の場合、粘度の高いグリス等の拭き取り性が十分に確保できなくなるおそれがあり、１．７ｍｍ超過の場合、基材紙１０が拭き取り時に破断するおそれがある。
【００１３】
単位エンボスを形成した状態での衛生用紙の厚みは、５００〜１８００μｍが好適である。５００μｍ未満であると基材紙１０の厚みが確保できずに吸収量が過度に少なくなってしまい、１８００μｍ超過であると剛性が高まり過ぎて折り畳み困難になってしまったり、微細な溝部分の拭き取りが困難になったりという問題が生じる。
【００１４】
〔請求項２に係る発明〕
複数の直線形エンボスが、相互に交わって格子状のパターンの格子エンボスを構成するよう形成されており、単位エンボスは、直線形エンボスに囲まれた格子部に配置されている、請求項１に記載の衛生用紙。
【００１５】
〔作用効果〕
本項記載の発明では、複数の直線形エンボスが、相互に交わって格子状のパターンの格子エンボスを構成するよう形成されていると、拭き取り時に液体が格子エンボスを伝うため、吸収拡散が生じて液体の拭き取り性が向上する。
【００１６】
また、単位エンボスが、直線形エンボスに囲まれた格子部に配置されているため、単位エンボスと直線形エンボスとが、それぞれ偏在することがない。
【００１７】
〔請求項３に係る発明〕
基材紙には脱臭剤が含まれている、請求項１或いは請求項２に記載の衛生用紙。
【００１８】
〔作用効果〕
基材紙に、脱臭剤が含まれていることによって、使用後に基材紙に付着した食べかすや油分などが腐敗して生じる臭気が、周囲に漂ってしまうことを防止することができる。
【００１９】
〔請求項４に係る発明〕
脱臭剤が重曹である、請求項３に記載の衛生用紙。
【００２０】
〔作用効果〕
脱臭剤が重曹であると、重曹の脱臭効果を得ることができるとともに、本項記載の発明に係る衛生用紙を食器の汚れの拭き取りに使用した際に、脱臭剤の一部が食器に付着して残留したとしても、人体に対して害を与えることがない。
【００２１】
〔請求項５に係る発明〕
基材紙とフィルム層の間に脱臭層を有している、請求項１〜請求項４のいずれか１項に記載の生成用紙。
【００２２】
〔作用効果〕
本項記載の発明のように、基材紙とフィルム層との間に、脱臭層が介在されていることによって、使用後に基材紙に付着した食べかすや油分などが腐敗して生じる臭気が、周囲に漂ってしまうことを防止することができる。
【００２３】
〔請求項６に係る発明〕
単位エンボスの平面形状が多角形状とされている、請求項１〜請求項５のいずれか１項に記載の衛生用紙。
【００２４】
〔作用効果〕
本項記載の発明では、単位エンボスの平面形状が多角形状であるため、単位エンボスに頂角が現れる。このように単位エンボスに頂角が現れていることによって、ラードなどの高粘度の汚れの掻き取り性が向上する。
【００２５】
〔請求項７に係る発明〕
単位エンボスの平面形状が六角形状である、請求項６に記載の衛生用紙。
【００２６】
〔作用効果〕
単位エンボスは、六角形状の他、四角形状や八角形状などの他の角形状とすることも可能であるが、頂角の少ない角形状では、単位エンボス内側の平たい部分の面積が少ないため、液体が単位エンボスを伝い難くなるに伴って吸収拡散が起こり難くなり、十分な吸液性を得ることが困難になってしまう。一方、頂角の多い角形状では、角部の角度が緩やかになりすぎて、高粘度の汚れの掻き取り性が低下してしまう。以上のような理由から、単位エンボスの形状としては、単位エンボス内側の平たい部分の面積を確保と、高粘度の汚れの掻き取り性とをバランス良く両立できる六角形状とするのが最も好ましい。
【００２７】
〔請求項８に係る発明〕
単位エンボスの平面形状が円状である、請求項１〜請求項５のいずれか１項に記載の衛生用紙。
【００２８】
本項記載の発明のように、単位エンボスは円形とすることも可能である。
【発明の効果】
【００２９】
以上に示したように、本発明によれば、吸収した油や水分が裏抜けすることがなく、廃棄後に悪臭が周囲に漂ってしまうことを防止可能とされた衛生用紙を提供することが可能となる。
【図面の簡単な説明】
【００３０】
【図１】本発明に係る衛生用紙の第１実施形態を示しており、図２のＡ−Ａ矢視に対応する断面図である。
【図２】本発明に係る衛生用紙の第１実施形態を示す平面図である。
【図３】本発明に係る衛生用紙の第２実施形態を示す平面図である。
【図４】本発明に係る衛生用紙のその他の実施形態を示す平面図である。
【発明を実施するための形態】
【００３１】
〔第１実施形態〕
次に、本発明の第１実施形態を、添付図面を参照しつつ説明する。図１に示すのは、第１実施形態に係る衛生用紙１の層構造であり、この衛生用紙１は、紙から成り吸液可能とされた基材紙１０と、この基材紙１０の片側に積層された非透液性と非透臭性とを有するフィルム層２０とから構成されている。
【００３２】
衛生用紙１の坪量（ＪＩＳ  Ｐ  ８１２４：１９９８）は、３６〜１２０ｇ／ｍ2であり、好適には５４〜９０ｇ／ｍ2である。３６ｇ／ｍ2未満の場合には、基材紙１０の坪量を確保することが難しく十分な吸水性を得ることができず、また、１２０ｇ／ｍ2超過の場合には、剛性が高まり衛生用紙１を４つ折りにする際に大きな抵抗となるおそれがあり、特に、微細部品、部品の溝部分の拭き取りが困難になるおそれがある。
【００３３】
（基材紙）
基材紙１０は、２〜４枚の薄基材紙を積層することで構成されている。基材紙１０は、５枚以上の薄基材紙を積層して構成することも可能であるが、基材紙１０には、フィルム層２０が積層されており、基材紙１０を６層以上の構造とすると、衛生用紙１が過度に多層となってしまい、拭き取り使用時に積層部でズレが生じ易くなってしまう。そうすると、衛生用紙１の表面に皺が発生し、拭き取り性が低下するおそれがある。この一方、基材紙１０は、単層とすることも可能であるが、吸液性能を確保すべく一定の嵩を得るために必要な構成繊維の量が増えると共にコスト増となってしまう。
【００３４】
基材紙１０を形成する薄基材紙の構成繊維は、ＬＵＫＰ、ＬＢＫＰ（広葉樹クラフトパルプ）を１０〜３０重量％、ＮＵＫＰ、ＮＢＫＰ（針葉樹クラフトパルプ）を７０〜９０重量％を含有するものとされる。なお、ＬＵＫＰ、ＬＢＫＰとしては、ＦＳＣ認証されたチップから生産されたパルプを含有するのが好適である。ＮＢＫＰ、ＬＢＫＰ以外の構成繊維としては、ケナフパルプ、マニラ麻等の非木材パルプ、ポリエステル繊維、レーヨン繊維、アクリル繊維等の合成繊維が例示できる。
薄基材紙の製造は、ＮＢＫＰ、ＬＵＫＰ及びＬＢＫＰ、ＮＵＫＰを含む抄造原料を、既知のクレープ紙、薄基材紙の製造に基づいて抄造することができる。
【００３５】
基材紙１０を構成する薄基材紙一枚あたりの坪量（ＪＩＳ  Ｐ  ８１２４：１９９８）は、１８〜２８ｇ／ｍ2であり、好適には２４〜２６ｇ／ｍ2である。１８ｇ／ｍ2未満の場合には、十分な吸液量を発言させることが困難となり、また、２８ｇ／ｍ2超過の場合には、剛性が高まり衛生用紙１を４つ折りにする際に大きな抵抗となるおそれがあり、特に、微細部品、部品の溝部分の拭き取りが困難になるおそれがある。
【００３６】
基材紙１０を構成する薄基材紙一枚あたりの密度は、２５〜１２０ｋｇ／ｍ3とされ、より好ましくは、５０〜８０ｋｇ／ｍ3とされる。２５ｋｇ／ｍ3未満であるとエンボス形成時に破断しやすくなり加工しにくくなる。１２０ｋｇ／ｍ3超過であると剛性が高まり、拭き取りの際に不具合が生じる。
【００３７】
基材紙１０の厚みは、２００〜６００μｍとされ、より好ましくは、３００〜５００μｍとされる。２００μｍ未満であると吸液量が確保できなくなり、６００μｍ超過であると剛性が高まり過ぎて折り畳み困難になってしまったり、微細な溝部分の拭き取りが困難になるおそれがある。
【００３８】
基材紙１０には、臭気を分解又は吸着可能な脱臭剤が内添又は外添される。この脱臭剤としては、一般的に使用されているものを適用でき、例えば、お茶がら、ゼオライト、重曹などとすることができる。その中でも特に、重曹は、高い脱臭効果を得ることができるとともに、食器の汚れの拭き取りに使用した際に、脱臭剤の一部が食器に付着して残留したとしても、人体に対して害を与えることがないため、より好ましい。
【００３９】
脱臭剤の添加量は、パルプスラリーに対する重量比で０．１〜５０ｋｇ／ｔとされ、特に１．０〜２０ｋｇ／ｔとすることが好ましい。０．１ｋｇ／ｔ未満であると十分な脱臭効果を得ることができなくなり、一方、５０ｋｇ／ｔ超過であるとフィルムと紙のはり合わせが不良となってしまう。
【００４０】
（フィルム層）
基材紙１０に積層されるフィルム層２０は、樹脂から成るフィルムを基材紙１０上にラミネートすることで形成される。フィルム層２０を構成する樹脂としては、ポリエチレン（ＰＥ）、ポリ塩化ビニル（ＰＶＣ）、ポリ塩化ビニリデン（ＰＶＣＤ）、ポリビニルアルコール（ＰＶＡ）、ポリプロピレン（ＰＰ）、ポリエステル、ポリカーボネート（ＰＣ）、ポリスチレン（ＰＳ）、ポリアクリロニトリル（ＰＡＮ）、エチレン−ビニルアルコール共重合体（ＥＶＯＨ）、エチレン−メタクリル酸共重合体（ＥＭＡＡ）、ナイロンなどの各種樹脂をフィルム加工することで形成される。その中でも特に、ガスバリア性、防湿性、及びヒートシール性に優れ、低コストで構成できる点から、ポリエチレンを選択することが好ましい。
【００４１】
これらの材料からフィルムを製造する方法は特に限定されず、Ｔダイ法、インフレーション法などの溶融押出成型法、溶液流延法（溶液キャスト法）、カレンダー法、圧縮成形法などの公知のフィルム成形方法を採用することができる。
【００４２】
フィルム層２０を脱臭紙２０にラミネートする方法は特に制限されず、例えば押出しラミネート（エクストルージョンラミネート）、ウェット・ラミネート、ドライ・ラミネートなどの公知のラミネート方法を用いることができる。この中でも特に、生産性やコストの点で優れたドライ・ラミネートを用いることが好ましい。
【００４３】
フィルム層２０は、厚みが２０〜７０μｍとされており、より好ましくは２０〜３０μｍとされている。フィルム層２０の厚みが２０〜７０μｍの範囲内であると、柔らかく、手に馴染みやすいため、拭き取る際に滑りにくい。しかしながら、フィルム層２０の厚みが２０μｍ未満であると適切な強度を得ることができずに破損しやすくなってしまい、７０μｍ超過であると剛性が高まり過ぎて折り畳み困難になってしまったり、微細な溝部分の拭き取りが困難になったりという問題が生じる。
【００４４】
（エンボス）
衛生用紙１には、図１及び図２に示すように、平面形状が六角形状の単位エンボス２が多数施されている。これらの単位エンボス２は、図１に示すように、基材紙１０にフィルム層２０が積層された状態で施され、基材紙１０側からフィルム層２０側に向かって凹むように施されている。
【００４５】
単位エンボス２は、長手方向長さ（ＥＬ）が４．５ｍｍ、幅方向長さ（ＥＷ）が３ｍｍ、深さ（ＥＤ）が１．１ｍｍ、テーパー角度（Ｅθ）が６０度となるように形成されている。なお、本説明においては、深さ（ＥＤ）とは、基材紙１０の表面から単位エンボス２の凹部３の底面までの距離をいい、テーパー角度（Ｅθ）とは、単位エンボス２の凹部３の延長線と基材紙１０の表面との交差する角度をいい、厚さ（Ｔ）とは、衛生用紙１の一方の表面から他方の表面までの距離をいう。
【００４６】
単位エンボス２を形成した際の、図１における符号Ｔによって示される衛生用紙１の厚みは、５００〜１８００μｍであり、より好ましくは７００〜１２００μｍとされる。５００μｍ未満であると基材紙１０の厚みが確保できずに吸収量が過度に少なくなってしまい、１８００μｍ超過であると剛性が高まり過ぎて折り畳み困難になってしまったり、微細な溝部分の拭き取りが困難になったりという問題が生じる。なお、衛生用紙１の厚さＴは、尾崎製作所製のピーコックにより測定される。
【００４７】
単位エンボス２の長手方向長さ（ＥＬ）については、特に制限はないが、３〜９ｍｍが好適であり、幅方向長さ（ＥＷ）に対し、１２５〜２００％にするのがより好適である。なお、長手方向長さ（ＥＬ）が３ｍｍ以下の場合、粘度の高いグリス等の拭き取り性が十分に確保できなくなるおそれがあり、９ｍｍ以上の場合、基材紙１０が拭き取り時に破断するおそれがある。
【００４８】
単位エンボス２の幅方向長さ（ＥＷ）については、特に制限はないが、２〜５ｍｍが好適である。なお、幅方向長さ（ＥＷ）が２ｍｍ以下の場合、粘度の高いグリス等の拭き取り性が十分に確保できなくなるおそれがあり、５ｍｍ以上の場合、基材紙１０が拭き取り時に破断するおそれがある。
【００４９】
単位エンボス２の深さ（ＥＤ）については、０．８〜１．７ｍｍが好適である。なお、深さ（ＥＤ）が０．８ｍｍ未満の場合、粘度の高いグリス等の拭き取り性が十分に確保できなくなるおそれがあり、１．７ｍｍ超過の場合、基材紙１０が拭き取り時に破断するおそれがある。
【００５０】
単位エンボス２のテーパー角度（Ｅθ）については、特に制限はないが、４０〜６５度が好適である。なお、テーパー角度（Ｅθ）が４０度以下の場合、単位エンボス２の凹部３の周縁が鈍り粘度の高いグリス等の拭き取り性が十分に確保できなくなるおそれがあり、６５度以上の場合、基材紙１０が拭き取り時に破断するおそれがある。
【００５１】
各単位エンボス２は、単位エンボス２の長辺４が、隣接する単位エンボス２の長辺４に対し長手方向にズレた位置に形成し、単位エンボス２の長辺４の両側の角部５が、隣接する対向する単位エンボス２の長辺４の両側の角部５にそれぞれ対向する位置に形成されている。
【００５２】
また、各単位エンボス２は、隣接する単位エンボス２に対して、長手方向ピッチ（ＰＬ）が６ｍｍ、幅方向ピッチ（ＰＷ）が３ｍｍの位置に形成されており、亀甲パターン状を成すようになっている。
【００５３】
単位エンボス２の長手方向ピッチ（ＰＬ）については、特に制限はないが、４〜１０ｍｍが好適である。また、単位エンボス２の幅方向ピッチ（ＰＷ）についても、特に制限はないが、２〜５ｍｍが好適である。単位エンボス２を長手方向ピッチ（ＰＬ）が６ｍｍ、幅方向ピッチ（ＰＷ）が３ｍｍの位置に亀甲パターン状に形成した場合、基材紙１０（衛生用紙１）の表面積が、単位エンボス２を形成する前の表面積に対し、１４４％と増加するため拭き取り性が格段に向上する。
【００５４】
なお、表面積は、簡易的には単位エンボス２を引張力１０００ＣＮ／２５ｍｍで単位エンボス２の長辺４に直角方向に伸長した場合に発生する断面伸長率を２乗することによって算出でき、１２１％であった。断面伸長率を２乗して算出した場合、単位エンボス２を形成した後の基材紙１０の表面積が、単位エンボス２を形成する前の基材紙１０の表面積に対し、拭き取り性の観点から１１０〜１３０％が好適である。
【００５５】
単位エンボス２の凹部３の底部は平面とされている。これらの単位エンボス２の平面形状の総面積は、基材紙１０の表面積に対し５〜５０％とされており、より好ましくは３０〜４０％とされている。単位エンボス２の平面形状の総面積が、基材紙１０の表面積に対して５％未満の場合、５０％超過の場合には所望する拭き取り性が達成することが困難となる。
【００５６】
亀甲パターン状に形成された単位エンボス２の長辺４の延在方向が、基材紙１０（衛生用紙１）の横方向に対する交差角度（θ）が４５度で形成されている。
交差角度（θ）については、特に制限はないが、衛生用紙１を横方向あるいは縦方向にスライドさせながら拭き取りを行う際に、単位エンボス２の鋭角部分であり長辺４がスライド方向に対し傾斜した場合、拭き取り性が高まることから３０〜６０度が好適である。さらに、縦方向とは、抄造時における基材紙１０流れ方向に沿う方向でありＭＤ方向と言われ、横方向とは、縦方向と直交する方向でありＣＤ方向と言う場合もある。
【００５７】
単位エンボス２の形成方法は、例えば、一対のエンボスロール間に基材紙１０を通して形成することができ、特に、単位エンボス２を嵩高にする観点からスチールマッチエンボスを使用することが好適である。この場合、エンボス圧が、１０〜８０ｋｇｆ／ｃｍ2、好ましくは１０〜２５ｋｇｆ／ｃｍ2となるようにするのが好適である。エンボス圧が１０ｋｇｆ／ｃｍ2以下の場合、単位エンボス２の長辺３を含む周縁部を鋭角にすることができず拭き取り性が下がるおそれがあり、８０ｋｇｆ／ｃｍ2以上の場合、単位エンボス２の形成時に基材紙１０が破断するおそれがある。
【００５８】
一対のエンボスロールに関しては、単位エンボス２が亀甲パターン状に付与された金属ロールと弾性ロールとの組み合せが好適である。この場合、弾性ロールは、その表面のショア硬度（Ｓｈｏｒｅ  ｈａｒｄｎｅｓｓ）が、Ａ３０〜Ａ９０であるのが好適である。ショア硬度がＡ３０以下の場合、つまり弾性ロール表面がやわらかい場合、基材紙１０が破断するおそれがあり、Ａ９０以上の場合、つまり弾性ロール表面が硬い場合、単位エンボス２が基材紙１０に形成できず、基材紙１０を構成する薄基材紙を積層できないおそれがある。
【００５９】
以上のようにして単位エンボス２が形成された基材紙１０は、既知の方法に従って、インターフォルダ等により積層し折り畳んだり、巻き取ったりして製品とする。
【００６０】
（作用効果）
次に、本実施形態に係る衛生用紙１の作用効果について説明する。
本実施形態に係る衛生用紙１は、基材紙１０側が拭き取り面とされ、フィルム層２０側が使用者による保持面とされて、使用されるようになっている。本実施形態に係る衛生用紙１によれば、使用者による保持面が、非透液性を有するフィルム層２０とされているため、基材紙１０に吸収された油や水分が、保持面側に裏抜けしてしまうことがなく、使用者の手が汚れてしまうことがない。
【００６１】
本実施形態に係る衛生用紙１では、フィルム層２０が非透臭性（ガスバリア性）を有しているため、基材紙１０をフィルム層２０で包み込むようにして衛生用紙１を丸めて廃棄することによって、基材紙１０に付着した食べかすや油分などが腐敗して生じる臭気が、衛生用紙１を透過しないため、悪臭が周囲に漂ってしまうことを防止することができる。
【００６２】
本実施形態に係る衛生用紙１のように、単位エンボス２が、基材紙１０側からフィルム層２０側に向かって凹むよう形成されていると、フィルム層２０側から基材紙１０側に向かって凹むよう形成されている場合に比べて、拭き取り面が滑らかになり、拭き取り対象との接触面積が大きくなるため、液体を確実に吸収して拭き取ることが可能となる。
【００６３】
本実施形態に係る衛生用紙１のように、基材紙１０に、臭気を分解又は吸着可能な脱臭剤が含まれていることによって、使用後に基材紙１０に付着した食べかすや油分などが腐敗して生じる臭気が、周囲に漂ってしまうことを防止することができる。
【００６４】
本実施形態に係る衛生用紙１によれば、単位エンボス２が六角形状であるため、単位エンボス２に六角形の頂角から成る角部が現れる。このように単位エンボス２に角部が形成されることによって、ラードなどから成る高粘度の汚れの掻き取り性が向上する。
【００６５】
〔第２実施形態〕
次に、本発明に係る衛生用紙の第２実施形態について説明する。第２実施形態の衛生用紙１は、層構造は第１実施形態に係る衛生用紙と同じとされており、基材紙１０に対してフィルム層が積層されている。そして、本実施形態に係る衛生用紙１は、相互に交わることで格子状のパターン成して格子エンボスを構成する直線形エンボス６、７に囲まれる部分である各格子部８に、六角形状の単位エンボス２が亀甲パターン状を成すように複数形成されている。直線形エンボス６、７及び単位エンボス２は、基材紙１０にフィルム層２０が積層された状態で施され、基材紙１０側からフィルム層２０側に向かって凹むように施されている。
【００６６】
図３は、第２実施形態に係る衛生用紙１の基材紙１０に形成されたエンボスパターンを示している。なお、単位エンボス２、基材紙１０、フィルム層については第１実施形態と同様であるので説明は省略する。
【００６７】
格子パターンを形成する直線形エンボス６、７は、幅（ＬＷ）が２ｍｍ、深さ（ＬＤ）が１．１ｍｍであり、直線形エンボス６で囲まれる格子部８の対角線距離で定義されるエンボスピッチ（ＬＰ）が１９ｍｍであり、格子パターンは、基材紙１０（衛生用紙１）の水平方向に対し交差角度が４５度である。格子パターンとすると、粘度の低い水分等を拭き取った際には、直線形エンボス６の凹部内を水分等が拡散、吸収されながら進行するため、粘度の低い水分等の拭き取り性が高まる。
【００６８】
直線形エンボス６、７の幅（ＬＷ）および深さ（ＬＤ）については、特に制限はないが、拭き取り性の観点から１〜３ｍｍが好適である。また、エンボスピッチ（ＬＰ）については、特に制限はないが、拭き取り性の観点から１０〜３０ｍｍが好適であり、１５〜２５ｍｍがより好適である。
【００６９】
直線形エンボス６、７の平面形状の総面積が、基材紙１０の表面積に対して２〜４０％とするのが好適であり、１０〜２０％がより好適である。直線形エンボス６、７の平面形状の総面積が、基材紙１０の表面積に対して２％未満の場合、４０％超過の場合には所望する拭き取り性が達成することが困難となる。
【００７０】
また、格子パターンは、基材紙１０の水平方向に対し交差角度が４５度である。すなわち、格子パターンを形成する一方の直線形エンボス６の延在方向と基材紙１０の横方向の横方向に対する交差角度（Ｌθ１）が４５度で形成され、格子パターンを形成する他方の直線形エンボス７の延在方向と基材紙１０の横方向に対する交差角度（Ｌθ２）も同様に４５度で形成されいる。交差角度（Ｌθ１、２）については、特に制限はないが、拭き取り性の観点から３０〜６０度が好適である。
【００７１】
第２実施形態に係る衛生用紙１においては、図３に示すように各格子部８に形成される単位エンボス２は、単位エンボス２の長辺６の延在方向が基材紙１０の縦方向と平行に形成されているが、単位エンボス２の長辺６の延在方向を基材紙１０の横方向に対して３０〜６０度の交差角度をつけて形成しても良い。
【００７２】
直線形エンボス６、７及び単位エンボス２の形成方法は、例えば、一対のエンボスロール間に基材紙１０を通して形成することができ、特に、直線形エンボス６、７及び単位エンボス２を嵩高にする観点からスチールマッチエンボスを使用することが好適である。この場合、エンボス圧が、１０〜８０ｋｇｆ／ｃｍ2、好ましくは１０〜２５ｋｇｆ／ｃｍ2となるようにするのが好適である。エンボス圧が１０ｋｇｆ／ｃｍ2以下の場合、単位エンボス２の長辺３を含む周縁部を鋭角にすることができず拭き取り性が下がるおそれがあり、８０ｋｇｆ／ｃｍ2以上の場合、直線形エンボス６、７及び単位エンボス２の形成時に基材紙１０が破断するおそれがある。
【００７３】
一対のエンボスロールに関しては、直線形エンボス６、７が格子パターン状に、単位エンボス２が亀甲パターン状が付与された金属ロールと弾性ロールとの組み合せが好適である。この場合、弾性ロールは、その表面のショア硬度（Ｓｈｏｒｅ  ｈａｒｄｎｅｓｓ）が、Ａ３０〜Ａ９０であるのが好適である。ショア硬度がＡ３０以下の場合、つまり弾性ロール表面がやわらかい場合、基材紙１０が破断するおそれがあり、Ａ９０以上の場合、つまり弾性ロール表面が硬い場合、直線形エンボス６、７及び単位エンボス２が基材紙１０に形成できず、基材紙１０を構成する薄基材紙を積層できないおそれがある。
【００７４】
以上のようにして直線形エンボス６、７及び単位エンボス２が形成された基材紙１０は、既知の方法に従って、インターフォルダ等により積層し折り畳んだり、巻き取ったりして製品とする。
【００７５】
（作用効果）
次に、本実施形態に係る衛生用紙１の作用効果を説明する。
本実施形態に係る衛生用紙１では、基材紙１０に、格子エンボスを成す直線形エンボス６、７と、直線形エンボス６、７によって囲まれる部分に、六角形状の単位エンボス２とが形成されている。格子状のパターンを成す直線形エンボス６、７は、拭き取り時に液体が直線形エンボス６、７を伝うため、吸収拡散が生じて液体の拭き取り性が向上する。この一方、六角形状の単位エンボス２は、高粘度のこびりつくような汚れの拭き取り性に優れている。本実施形態に係る衛生用紙１の基材紙１０は、直線形エンボス６、７と単位エンボス２とを兼ね備えているため、両者のメリットを享受することができる。
【００７６】
〔他の実施形態〕
次に、本発明に係る衛生用紙の他の実施形態を示す。
単位エンボスの平面形状は、六角形状の他、四角形状や八角形状などの他の角形状や、図４に示されるような円状のエンボス４０とすることも可能である。ただし、頂角の少ない角形状では、単位エンボス内側の平たい部分の面積が少ないため、液体が単位エンボス２を伝い難くなるに伴って吸収拡散が起こり難くなり、十分な吸液性を得ることが困難になってしまう。特に、単位エンボス２の平面形状が四角形とされて頂角の角度が９０度であると、衛生用紙の柔軟性が損なわれて使いづらいという欠点がある。
【００７７】
一方、頂角の多い角形状や円形では、角部の角度が緩やかになりすぎて、高粘度の汚れの掻き取り性が低下してしまう。以上のような理由から、単位エンボスの形状としては、単位エンボス内側の平たい部分の面積を確保と、高粘度の汚れの掻き取り性とをバランス良く両立できる六角形状とするのが最も好ましい。
【００７８】
さらに、単位エンボスは、六角形状の中でも正六角形であることがより好ましい。正六角形は、平面充填が可能な図形であり、且つ、平面充填が可能な正多角形（正三角形、正四角形、正六角形）の中でも面積あたりの周長が最も短い。そのため、同じ面積の他の図形と比べて、一定面積の平面上に配置できる図形の数が最も多い。つまり、単位エンボスの平面形状が正六角形であると、より多数の単位エンボスを形成することが可能となる。そうすると、基材紙の強度が高まるため、液体を吸収した際にも、エンボスの形状が維持されやすくなるため、掻き取り性が低下しにくくなる。
【００７９】
なお、他の角形状や、円形のエンボスとされた単位エンボス４０は、第２実施形態に係る衛生用紙と同様に、相互に交わることで格子状のパターン成して格子エンボスを構成する直線形エンボスとの併設も可能である。
【００８０】
基材紙に脱臭剤を添加する代わりに、或いは脱臭剤を併用して、基材紙とフィルム層との間に、臭気を分解又は吸着可能な脱臭層を介在することもできる。脱臭層の形成方法としては、上記に示した脱臭剤を層状に形成する他に、脱臭層として脱臭紙を介在させることも可能である。この脱臭紙の製造方法としては、脱臭剤を懸濁させたスラリーを紙に塗布する方法や、脱臭剤に活性炭繊維を用いてセルロース繊維との混抄紙とする方法や、脱臭剤としてゼオライト等の無機粉体を用い抄紙時にこの無機粉体を漉き込む方法などが挙げられる。
【００８１】
直線形エンボス及び単位エンボスは、フィルム層側から基材紙側に向かって凹むよう形成することも可能であるが、基材紙側からフィルム層側に向かって凹むよう形成されている方が、拭き取り面が滑らかになり、拭き取り対象との接触面積が大きくなるため、液体を確実に吸収して拭き取ることが可能となることから、後者を選択することが好ましい。
【実施例】
【００８２】
本発明に係る衛生用紙の効果を確認するため、吸水性、グリスの拭き取り性、引張強度、水分の拭き取り性、液体の裏抜け、臭気について評価を行った。
実施例１〜１１及び比較例１〜２の単位エンボスの形状、格子エンボスの有無、単位エンボスの縦方向ピッチ、単位エンボスの横方向ピッチ、単位エンボスの深さ、テーパー角度、プライ数（薄基材紙の積層枚数）、フィルム厚、重曹のパルプスラリーに対する重量比での添加量、基材紙を構成する薄基材紙一枚あたりの密度、エンボス付与前の表面積に対する付与後の表面積の比率、単位エンボスを形成した状態での衛生用紙の厚さは表１に示すとおりである。
なお、実施例、比較例とも基材紙を構成する薄基材紙の坪量は、２４．２ｇ／ｍ2とした。
フィルム層は、ポリエチレンから形成し、ドライ・ラミネートによって基材紙に積層した。
格子エンボスを構成する直線形エンボスは、幅（ＬＷ）を２ｍｍ、深さ（ＬＤ）を１．１ｍｍとし、直線形エンボスで囲まれる格子部の対角線距離で定義されるエンボスピッチ（ＬＰ）を１９ｍｍとした。格子パターンは、基材紙（衛生用紙）の水平方向に対し交差角度が４５度となるよう配置した。また、直線形エンボスの平面形状の総面積は、基材紙の表面積に対して１５％とした。
【００８３】
以下に吸水性、グリスの拭き取り性、引張強度、水分の拭き取り性、液体の裏抜け、臭気についての評価基準を示す。
〔吸水量〕
試料（寸法：横３１５ｍｍ×縦４０５ｍｍ）を１０ｃｍ角に裁断し、表面と裏面を交互に４枚重ねした状態で水に３分間浸した後取出し、網状の水平台の上に３０秒放置した後の重量を測定し、増加重量を算出した。
なお、衛生用紙１ｍ2あたりの吸水量［ｇ／ｍ2］が、３０００以上の場合を「◎」、２５００〜３０００の場合を「○」、２０００〜２５００の場合を「△」、２０００以下の場合を「×」とした。
〔グリスの拭き取り性〕
表面平滑な水平台（天板材質：セグラン、セルロン）上に、グリス（昭和シェル石油製、名称：カートリッジグリス、型式：ＥＰ―２）１．５ｇへらで均一に延ばし、試料（寸法：横３１５ｍｍ×縦４０５ｍｍ）を４つ折りにして、基材紙面をグリスの塗布面に接触させると共に、試料に５００ｇのおもりを載せた状態で水平台上を約５秒間スライド移動させた後、グリスの残存状態を目視評価した。
なお、９０％超過拭き取れた場合を「◎」、７０〜９０％拭き取れた場合を「○」、７０％未満しか拭き取れなかった場合を「△」とした。
〔引張強度〕
衛生用紙の引張強度をＪＩＳ  Ｐ  ８１１３に準じて評価した。
なお、引張強度［ＣＮ／２５ｍｍ］が、５０００以上の場合「◎」、３５００〜５０００の場合「○」、２０００〜３５００の場合「△」、２０００以下の場合「×」とした。
〔水分の拭き取り性〕
表面平滑な水平台（天板材質：セグラン、セルロン）上に、蒸留水を１．０ｇ滴下し、試料（寸法：横３１５ｍｍ×縦４０５ｍｍ）を４つ折りにして、基材紙面を蒸留水の滴下面に接触させると共に、試料に５０ｇのおもりを載せた状態で水平台上を約５秒間スライド移動させた後、グリスの残存状態を目視評価した。
なお、９０％超過拭き取れた場合を「◎」、７０〜９０％拭き取れた場合を「○」、７０％未満しか拭き取れなかった場合を「△」とした。
〔液体の裏抜け〕
試料（寸法：横３１５ｍｍ×縦４０５ｍｍ）に対して、蒸留水１０００μｌを滴下し、約１０秒後に、裏抜けがないか手で触って確認する。裏抜けがない場合「○」、裏抜けがあった場合「×」とした。
〔臭気〕
フィルム側を外側にして、一握りほどの食べかす等を包み込むようにし、ビニール袋に入れて気温２５℃、湿度８０％の室内に放置し、丸一日後、ビニール袋の開口付近から臭いを嗅ぎ、漂う臭気を評価した。
なお、ほとんど臭わない場合を「◎」、やや臭う場合を「○」、非常に臭う場合を「△」とした。
【００８４】
【表１】
2010173250.tif 000003
【００８５】
表１に示すとおり、本発明に係る衛生用紙は、吸収した油や水分が裏抜けすることがなく、廃棄後に悪臭が周囲に漂ってしまうことを防止可能となっている。
【産業上の利用可能性】
【００８６】
本発明は、油分や水分や汚れの拭き取りを目的とするシート状物として利用可能である。
【符号の説明】
【００８７】
１・・・衛生用紙
２・・・単位エンボス
６、７・・・直線形エンボス（格子エンボス）
１０・・・基材紙
２０・・・脱臭紙
３０・・・フィルム層
【図１】
2010173250.tif 000004
【図２】
2010173250.tif 000005
【図３】
2010173250.tif 000006
【図４】
2010173250.tif 000007